(57)【要約】【課題】  水素ガスを空気と混合させて燃焼させる場合に、水素ガスの燃焼速度が速くなって、局所的な温度上昇が生じたり、最高火炎温度が高くなったりして、ＮＯｘの発生量が多くなるのを簡単かつ適切に抑制する。【解決手段】  水素ガス供給管10を通して供給された水素ガスGhを空気Aiと混合させて燃焼させるにあたり、水素ガスを供給する水素ガス供給管の外周側に燃焼用の空気を供給する空気供給管20を設け、水素ガス供給管の先端部に水素ガスを前方に噴出させる噴出口11を設けると共に、噴出口よりも上流側の位置に、水素ガス供給管の外周面から半径方向外方に向かう閉塞された保炎部材30を空気供給管の内周面と所要間隔を介するように設け、保炎部材の外周面と空気供給管の内周面との間に空気供給管内を流れる空気を水素ガス供給管の先端側に導く案内通路Sを形成した。【選択図】  図２
2020046099.tif 000002
【特許請求の範囲】
【請求項１】
水素ガス供給管を通して供給された水素ガスを空気と混合させて燃焼させる水素ガス燃焼装置において、水素ガスを供給する水素ガス供給管の外周側に燃焼用の空気を供給する空気供給管を設け、前記の水素ガス供給管の先端部に水素ガスを前方に噴出させる噴出口を設けると共に、前記の噴出口よりも上流側の位置に、水素ガス供給管の外周面から半径方向外方に向かう閉塞された保炎部材を空気供給管の内周面と所要間隔を介するように設け、前記の保炎部材の外周面と空気供給管の内周面との間に空気供給管内を流れる空気を水素ガス供給管の先端側に導く案内通路を形成したことを特徴とする水素ガス燃焼装置。
【請求項２】
請求項１に記載の水素ガス燃焼装置において、水素ガス供給管の外周面から半径方向外方に向かう閉塞された保炎部材の外周面と空気供給管の内周面とが所要間隔を介するように設けるにあたり、前記の空気供給管の内径に対する保炎部材の外径の比が０．９０〜０．９５の範囲であることを特徴とする水素ガス燃焼装置。
【請求項３】
請求項１又は請求項２に記載の水素ガス燃焼装置において、前記の保炎部材の厚み方向上流側の外周部に、空気供給管に向かうように下流側から上流側に傾斜した傾斜案内部を設け、この傾斜案内部に沿って空気供給管内を流れる空気を前記の案内通路に導くようにしたことを特徴とする水素ガス燃焼装置。
【請求項４】
請求項１〜請求項３の何れか１項に記載の水素ガス燃焼装置において、前記の保炎部材の厚み方向上流側の内周部に凹部を形成したことを特徴とする水素ガス燃焼装置。
【発明の詳細な説明】
【技術分野】
【０００１】
本発明は、水素ガス供給管を通して供給された水素ガスを空気と混合させて燃焼させる水素ガス燃焼装置に関するものである。特に、水素ガスを空気と混合させて燃焼させる場合に、水素ガスの燃焼速度が速く、局所的な温度上昇が生じたり、最高火炎温度が高くなったりして、ＮＯｘの発生量が多くなるのを簡単かつ適切に抑制できるようにした点に特徴を有するものである。
【背景技術】
【０００２】
従来から、水素ガス供給管を通して導かれた水素ガスを空気と混合させて燃焼させるようにした水素ガス燃焼装置においては、水素ガスの燃焼速度が速いために、局所的な温度上昇が起こりやすく、また最高火炎温度も高くなって、ＮＯｘの発生量が多くなることが知られている。
【０００３】
そして、従来においては、特許文献１に示されるように、複数の炎孔から水素ガスを噴出させて、拡散燃焼方式により水素を燃焼させるようにした水素燃焼装置において、隣接する炎孔の両端間距離及び単位炎孔あたり出力を制御するようにして、水素ガスの燃焼時におけるＮＯｘの発生を抑制するようにしたものが提案されている。
【０００４】
しかし、特許文献１に示されるように、水素ガスの燃焼時におけるＮＯｘの発生を抑制するため、隣接する炎孔の両端間距離及び単位炎孔あたり出力を制御する作業は非常に面倒であり、簡単にＮＯｘの発生を抑制することが困難であり、またこの特許文献１の実施例に示されるように、炎孔を多数配置させるようにすると、この燃焼装置全体が大きくなると共に、コストも高くつくという問題があった。
【０００５】
また、従来においては、特許文献２に示されるように、水素ガスを供給するバーナーガス管の内周側に空気管を保持させた二重管としたバーナーノズルにおいて、外周側のバーナーガス管を流れる燃料ガスの水素ガス流がノズル噴出直後に内周側空気流と速やかに混合するように、外周側ガス管の外壁をノズル先端部において管芯に向けて傾斜させるようにした水素用低ＮＯｘバーナーが提案されている。
【０００６】
しかし、特許文献２に示されるものにおいては、外周側ガス管のノズル先端部における傾斜と、外周側ガス管の導出口の口径とによって内周側の空気管から吸引される空気量が変化し、水素の燃焼を適切に制御してＮＯｘの発生を簡単に抑制することが困難であり、またこれらの条件を適切に設定しないと、逆火等が生じるという問題もあった。
【０００７】
また、従来においては、特に、燃焼用のガスとして水素ガスを用いたものではないが、特許文献３に示されるように、エアー噴出部内に設けたガス供給管の先端部に主ガス噴出部を設けると共に、ガス供給管の周面に複数の保炎用ガス噴出部を設ける一方、ガス供給管の周面から径方向外側に延びる円盤状の保炎板を設け、この保炎板に複数の小孔を設けると共に、この保炎板をガス供給管に沿ってスライドさせて、前記の保炎用ガス噴出部をこの保炎板によって開閉させるようにしたものが示されている。
【０００８】
しかし、燃焼用のガスとして水素ガスを用いた場合において、特許文献３に示されるように、ガス供給管の周面から径方向外側に延びる円盤状の保炎板に複数の小孔を設けると、ガス供給管の近くに設けられた前記の保炎板における小孔を通して導かれたエアーと、ガス供給管の先端部に設けられた主ガス噴出部から噴出された水素ガスとがすぐに混合されて燃焼され、水素ガスの燃焼時におけるＮＯｘの発生が多くなるという問題があった。
【先行技術文献】
【特許文献】
【０００９】
【特許文献１】特開２０１２−３２０８４号公報
【特許文献２】特公昭６０−１４２５６号公報
【特許文献３】特開２０１７−１８１００５号公報
【発明の開示】
【発明が解決しようとする課題】
【００１０】
本発明は、水素ガス供給管を通して導かれた水素ガスを空気と混合させて燃焼させる水素ガス燃焼装置における前記のような問題を解決することを課題とするものである。
【００１１】
すなわち、本発明における水素ガス燃焼装置においては、水素ガスを空気と混合させて燃焼させる場合に、水素ガスの燃焼速度が速く、局所的な温度上昇が生じたり、最高火炎温度が高くなったりして、ＮＯｘの発生量が多くなるのを簡単かつ適切に抑制できるようにすることを課題とするものである。
【課題を解決するための手段】
【００１２】
本発明における水素ガス燃焼装置においては、前記のような課題を解決するため、水素ガス供給管を通して供給された水素ガスを空気と混合させて燃焼させる水素ガス燃焼装置において、水素ガスを供給する水素ガス供給管の外周側に燃焼用の空気を供給する空気供給管を設け、前記の水素ガス供給管の先端部に水素ガスを前方に噴出させる噴出口を設けると共に、前記の噴出口よりも上流側の位置に、水素ガス供給管の外周面から半径方向外方に向かう閉塞された保炎部材を空気供給管の内周面と所要間隔を介するように設け、前記の保炎部材の外周面と空気供給管の内周面との間に空気供給管内を流れる空気を水素ガス供給管の先端側に導く案内通路を形成した。
【００１３】
ここで、本発明における水素ガス燃焼装置のように構成すると、空気供給管内を流れる燃焼用の空気が、前記の水素ガス供給管の先端部における噴出口よりも上流側の位置に設けた水素ガス供給管の外周面から半径方向外方に向かう閉塞された保炎部材の位置に導かれると、この空気が保炎部材の外周面と空気供給管の内周面との間の案内通路を通して整流された状態で水素ガス供給管の先端側に導かれ、前記の水素ガス供給管の先端部における水素ガスを噴出させる噴出口から離れた空気供給管の内周面側から徐々に前記の噴出口から噴出された水素ガスに向けて導かれて接触し、水素ガスが徐々に燃焼されるようになる。
【００１４】
そして、このように保炎部材の外周面と空気供給管の内周面との間の案内通路を通して水素ガス供給管の先端側に導かれた空気が、前記の水素ガス供給管の先端部における噴出口から前方に噴出される水素ガスから離れた空気供給管の内周面から徐々に前記の水素ガスと接触して燃焼されると、水素ガスの燃焼速度が速くなるのが抑制されて、局所的に温度が上昇するのが防止されると共に、最高火炎温度が高くなるのも抑制され、ＮＯｘの発生量が多くなるのが防止されるようになる。
【００１５】
また、本発明における水素ガス燃焼装置において、前記のように水素ガス供給管の外周面から半径方向外方に向かう閉塞された保炎部材の外周面と空気供給管の内周面とが所要間隔を介するように設けるにあたり、前記の空気供給管の内径に対する保炎部材の外径の比を０．９０〜０．９５の範囲にすることが好ましい。このように空気供給管の内径に対する保炎部材の外径の比を０．９０〜０．９５の範囲にすると、空気供給管内を流れる空気が、保炎部材の外周面と空気供給管の内周面との間の案内通路を通して整流されて流速が速められ、この状態で、適当量の空気が空気供給管の内周面に沿って水素ガス供給管の先端側に導かれ、このように導かれた空気が前記の水素ガス供給管の先端部における噴出口から前方に噴出された水素ガスと徐々に接触して燃焼されるようになり、水素ガスの燃焼速度が速くなるのが確実に抑制され、局所的に温度が上昇するのが十分に防止されると共に、最高火炎温度が高くなるのもさらに抑制されて、ＮＯｘの発生量が多くなるのが一層抑制されるようになる。
【００１６】
また、本発明における水素ガス燃焼装置において、前記のように水素ガス供給管の外周面から半径方向外方に向かう閉塞された保炎部材の外周面と空気供給管の内周面とが所要間隔を介するように設けるにあたり、保炎部材の厚み方向上流側の外周部に、空気供給管に向かうように下流側から上流側に傾斜した傾斜案内部を設け、この傾斜案内部に沿って空気供給管内を流れる空気を前記の案内通路に導くようにすることが好ましい。このようにすると、空気供給管内を流れる空気が、保炎部材に設けた前記の傾斜案内部に沿って保炎部材の外周面と空気供給管の内周面との間の案内通路に適切に導かれ、このように導かれた空気がこの案内通路を通してより整流された状態で水素ガス供給管の先端側に導かれて、水素ガスを噴出させる噴出口から離れた位置で水素ガスと接触するようになり、ＮＯｘの発生がより安定して十分に抑制されるようになる。
【００１７】
また、このように保炎部材の厚み方向上流側の外周部に、空気供給管に向かうように下流側から上流側に傾斜した傾斜案内部を設けるにあたっては、空気供給管内を流れる空気が、保炎部材に設けた前記の傾斜案内部に沿って保炎部材の外周面と空気供給管の内周面との間の案内通路に適切に導かれ、このように導かれた空気がこの案内通路を通してより整流された状態で水素ガス供給管の先端側に導かれるようにするためには、保炎部材に設ける前記の傾斜案内部における水平方向に対する傾斜角θを３０°〜６０°の範囲にすることが好ましい。
【００１８】
また、本発明における水素ガス燃焼装置において、前記のように水素ガス供給管の外周面から半径方向外方に向かう閉塞された保炎部材を空気供給管の内周面と所要間隔を介するように設けるにあたり、前記の保炎部材の厚み方向上流側の内周部に凹部を形成することが好ましい。このようにすると、空気供給管内を流れる空気が保炎部材の外周面と空気供給管の内周面との間の案内通路を通して適切に整流されるように、案内通路に沿った保炎部材における空気の案内方向の厚みを大きくした場合にも、保炎部材の重量を少なくして、水素ガス供給管の外周面に適切に設けることができるようになる。なお、案内通路に沿った保炎部材における空気の案内方向の厚みは特に限定されないが、保炎部材における前記の厚みを大きくするほど、保炎部材の外周面と空気供給管の内周面との間の案内通路を通して流れる空気の整流性を高めることができる一方、空気の供給性が低下するため、保炎部材の外周面と空気供給管の内周面との間の間隔や空気供給管内を流れる空気の量に対応させて適宜決定することが好ましい。例えば、保炎部材における前記の厚みに対する、保炎部材の外周面と空気供給管の内周面との間の案内通路の間隔との比を０．１０〜０．３０の範囲にすることが好ましい。
【発明の効果】
【００１９】
本発明における水素ガス燃焼装置においては、前記のように水素ガスを供給する水素ガス供給管の外周側に燃焼用の空気を供給する空気供給管を設け、前記の水素ガス供給管の先端部に水素ガスを前方に噴出させる噴出口を設けると共に、前記の噴出口よりも上流側の位置に、水素ガス供給管の外周から半径方向に外方に向かい閉塞された保炎部材を空気供給管の内周と所要間隔を介するように設け、前記の保炎部材の外周と空気供給管の内周との間に空気供給管内を流れる空気を水素ガス供給管の先端側に導く案内通路を形成したため、空気供給管内を流れる燃焼用の空気が、前記の保炎部材の外周面と空気供給管の内周面との間の案内通路を通して整流された状態で水素ガス供給管の先端側に導かれ、水素ガス供給管の先端部における噴出口から前方に噴出される水素ガスから離れた空気供給管の内周面から徐々に前記の水素ガスと接触して燃焼されるようになる。
【００２０】
この結果、本発明における水素ガス燃焼装置においては、前記のように水素ガス供給管の先端部における噴出口から前方に噴出される水素ガスが、保炎部材の外周面と空気供給管の内周面との間の案内通路を通して空気供給管の内周面に沿って導かれた空気と徐々に接触して燃焼され、水素ガスの燃焼速度が速くなるのが抑制されて、局所的に温度が上昇するのが防止されると共に、最高火炎温度が高くなるのも抑制され、ＮＯｘの発生量が多くなるのが防止されるようになる。
【図面の簡単な説明】
【００２１】
【図１】本発明の一実施形態において、水素ガス供給管の先端部に設けた水素ガスを前方に噴出させる噴出口よりも上流側の位置に、水素ガス供給管の外周面から半径方向外方に向かう閉塞された保炎部材を空気供給管の内周面と所要間隔を介するように設けるにあたり、保炎部材の厚み方向上流側の内周部に凹部を形成すると共に、厚み方向上流側の外周部に空気供給管に向かうように下流側から上流側に傾斜した傾斜案内部を設けた保炎部材を用いた水素ガス燃焼装置を炉壁に取り付けて使用する状態を示した概略断面説明図である。
【図２】前記の図１に示した水素ガス燃焼装置において、（Ａ）は水素ガス及び空気の流れを示した概略部分断面説明図、（Ｂ）は水素ガス燃焼装置の概略部分断面説明図である。
【図３】前記の実施形態における水素ガス燃焼装置において、水素ガス供給管の外周面から半径方向外方に向かう閉塞された保炎部材を変更させた第１の変更例として、保炎部材の厚み方向上流側の内周部に凹部を形成せずに、厚み方向上流側の外周部に空気供給管に向かうように下流側から上流側に傾斜した傾斜案内部を設けた保炎部材を用いた場合を示し、（Ａ）は水素ガス及び空気の流れを示した概略部分断面説明図、（Ｂ）は水素ガス燃焼装置の概略部分断面説明図である。
【図４】前記の実施形態における水素ガス燃焼装置において、水素ガス供給管の外周面から半径方向外方に向かう閉塞された保炎部材を変更させた第２の変更例として、一定した厚みになった保炎部材を用いた場合を示し、（Ａ）は水素ガス及び空気の流れを示した概略部分断面説明図、（Ｂ）は水素ガス燃焼装置の概略部分断面説明図である。
【発明を実施するための最良の形態】
【００２２】
本発明の実施形態に係る水素ガス燃焼装置を、添付図面に基づいて具体的に説明する。なお、本発明に係る水素ガス燃焼装置は、下記の実施形態に示したものに限定されず、発明の要旨を変更しない範囲において、適宜変更して実施できるものである。
【００２３】
先ず、図１及び図２に示す実施形態における水素ガス燃焼装置においては、水素ガスＧｈを供給する水素ガス供給管１０の外周側に、燃焼用の空気Ａｉを供給する空気供給管２０を設け、前記の水素ガス供給管１０の先端部に水素ガスＧｈを前方に噴出させる噴出口１１を設ける一方、この噴出口１１より水素ガスＧｈの流れ方向上流側の位置に、水素ガス供給管１０の外周面から半径方向外方に向かう閉塞された（すなわち、特許文献３に示す保炎板のような小孔がない。）保炎部材３０を空気供給管２０の内周面と所要間隔を介するように設け、この保炎部材３０の外周面と空気供給管２０の内周面との間に、空気供給管２０内を流れる空気を水素ガス供給管１０の先端側に導く案内通路Ｓを形成させるようにし、また前記の空気供給管２０の先端部における燃焼管部２１を、炉壁１を貫通させるようにして設けている。
【００２４】
そして、前記の水素ガス燃焼装置においては、前記の保炎部材３０として、水素ガス供給管１０の先端側に外周面から半径方向外方に延出されて空気供給管２０の内周面と所要間隔を介するようにして円板状になった前面板部３１が設けられ、この前面板部３１の外周縁から空気Ａｉの流れ方向上流側の厚み方向に延出されて内周部に凹部３２が形成されたリング状になった案内部３３が設けられ、この案内部３３における上流側の外周部に、下流側から上流側に向けて外周側の空気供給管２０に向かうように傾斜した傾斜案内部３３ａを設けたものを用いている。
【００２５】
そして、この実施形態の水素ガス燃焼装置のように、水素ガス供給管１０の先端部における噴出口１１より水素ガスＧｈの流れ方向上流側の位置に、前記のような保炎部材３０を設けると、空気供給管２０内を流れる空気Ａｉが保炎部材３０により抑止される一方、前記の空気Ａｉがこの保炎部材３０における案内部３３の上流側の外周部に設けた前記の傾斜案内部３３ａに沿って案内部３３に導かれ、この空気Ａｉが保炎部材３０の外周面における案内部３３と空気供給管２０の内周面との間の案内通路Ｓを通して整流されて、圧力損失の少ない状態で水素ガス供給管１０の先端側に導かれようになり、前記の水素ガス供給管１０の先端部における噴出口１１から前方に広がりながら噴出された水素ガスＧｈと徐々に接触して、前記の水素ガスＧｈが広い範囲で燃焼されるようになる。
【００２６】
この結果、前記の水素ガス燃焼装置においては、水素ガスＧｈの燃焼速度が速くなるのが抑制されて、局所的に温度が上昇するのが防止されると共に、最高火炎温度が高くなるのが抑制されて、ＮＯｘの発生量が多くなるのを抑制できるようになる。
【００２７】
ここで、この実施形態の水素ガス燃焼装置において、前記の保炎部材３０を設けるにあたっては、空気供給管２０の内径Ｄ20（約１０５ｍｍ）に対する保炎部材３０における案内部３３の外径Ｄ30（約９６ｍｍ）の比（Ｄ30／Ｄ20）を０．９程度にすると共に、保炎部材３０における前面板部３１の外周縁から空気Ａｉの流れ方向上流側の厚み方向に延出された案内部３３の長さＬａ、すなわち保炎部材３０における空気Ａｉの流れ方向上流側の厚みＬａ（約２０ｍｍ）に対する、空気供給管２０の内周面と保炎部材３０の外周面との間における案内通路Ｓの間隔Ｓａ（約５ｍｍ）との比を０．２５にすると共に、保炎部材３０の前記の傾斜案内部３３ａにおける水平方向に対する傾斜角θを約３０°になるようにしている。
【００２８】
このようにすると、空気供給管２０内を流れる空気Ａｉが、保炎部材３０に設けた前記の傾斜案内部３３ａに沿って保炎部材３０の外周面と空気供給管２０の内周面との間の案内通路Ｓに適切に導かれ、このように導かれた空気Ａｉがこの案内通路Ｓを通してより整流された状態で水素ガス供給管１０の先端側に導かれるようになり、保炎部材３０を通過した空気Ａｉが徐々に広がりながら、前記の水素ガス供給管１０の先端部における噴出口１１から前方に広がりながら噴出された水素ガスＧｈと徐々に接触して、前記の水素ガスＧｈが広い範囲で燃焼されるようになる。
【００２９】
ここで、前記の水素ガス燃焼装置においては、保炎部材３０として、前記のように水素ガス供給管１０の先端側に外周面から半径方向外方に延出されて空気供給管２０の内周面と所要間隔を介するようにして円板状になった前面板部３１が設けられ、この前面板部３１の外周縁から空気Ａｉの流れ方向上流側の厚み方向に延出されて内周部に凹部３２が形成されたリング状になった案内部３３が設けられ、この案内部３３における上流側の外周部に、下流側から上流側に向けて外周側の空気供給管２０に向かうように傾斜した傾斜案内部３３ａを設けたものを用いるようにしたが、使用する保炎部材３０はこのようなものに限定されない。
【００３０】
例えば、保炎部材３０Ａとして、図３（Ａ），（Ｂ）に示すように、前記の保炎部材３０において、円板状になった前面板部３１の外周縁から空気Ａｉの流れ方向上流側の厚み方向に延出された案内部３３の内周部に凹部３２を設けないようにし、それ以外は、前記の保炎部材３０と同様に、案内部３３における上流側の外周部に、下流側から上流側に向けて外周側の空気供給管２０に向かうように傾斜した傾斜案内部３３ａを設けたものを用いることができる。
【００３１】
そして、このような保炎部材３０Ａを用いた場合においても、前記の実施形態における保炎部材３０の場合と同様に、図３（Ａ）に示すように、空気供給管２０内を流れる空気Ａｉが、保炎部材３０に設けた前記の傾斜案内部３３ａに沿って保炎部材３０の外周面と空気供給管２０の内周面との間の案内通路Ｓに適切に導かれ、このように導かれた空気Ａｉがこの案内通路Ｓを通してより整流された状態で水素ガス供給管１０の先端側に導かれ、保炎部材３０を通過した空気Ａｉが徐々に広がりながら、前記の水素ガス供給管１０の先端部における噴出口１１から前方に広がりながら噴出された水素ガスＧｈと徐々に接触して、前記の水素ガスＧｈが広い範囲で燃焼されるようになる。但し、この保炎部材３０Ａにおいては、前記の保炎部材３０のように案内部３３の内周部に凹部３２が設けられていないため、保炎部材３０Ａの材料コストが高くつくと共に、保炎部材３０Ａ自体の重量が重くなって取り扱いが困難になり、水素ガス供給管１０の外周に取り付けたりする作業が困難になる。
【００３２】
また、保炎部材３０Ｂとして、図４（Ａ），（Ｂ）に示すように、前記の保炎部材３０Ａと同様に、円板状になった前面板部３１の外周縁から空気Ａｉの流れ方向上流側の厚み方向に延出された案内部３３の内周部に凹部３２を設けないようにし、さらに、案内部３３における上流側の外周部に、下流側から上流側に向けて外周側の空気供給管２０に向かうように傾斜した傾斜案内部３３ａを設けないようにし，一定した厚みになったものを用いることができる。
【００３３】
そして、このような保炎部材３０Ｂを用いた場合、案内部３３における上流側の外周部に、下流側から上流側に向けて外周側の空気供給管２０に向かうように傾斜した傾斜案内部３３ａを設けていないため、図４（Ａ）に示すように、空気供給管２０内を流れる空気Ａｉが、傾斜案内部３３ａに沿って案内通路Ｓに導かれずに、案内通路Ｓに導かれる空気Ａｉに負荷が加わって圧力損失が生じるようになる。そして、このように圧力損失が生じた状態で、空気Ａｉが案内通路Ｓを通して水素ガス供給管１０の先端側に導かれ、水素ガス供給管１０の先端側に導かれた空気Ａｉの広がりが、前記の保炎部材３０や保炎部材３０Ａを用いた場合に比べて大きくなる。このため、案内通路Ｓを通して水素ガス供給管１０の先端側に導かれた空気Ａｉが、水素ガス供給管１０の先端部における噴出口１１から前方に広がりながら噴出された水素ガスＧｈと接触して燃焼するタイミングが前記の保炎部材３０や保炎部材３０Ａを用いた場合に比べて早くなる。すなわち、保炎部材３０や保炎部材３０Ａを用いたときよりも、水素ガスＧｈを噴出させる噴出口１１から近い位置で空気Ａｉと水素ガスＧｈが接触して燃焼が行われるようになる。
【００３４】
しかし、このような保炎部材３０Ｂを用いた場合においても、保炎板における小孔を設けた従来のものに比べると、前記の水素ガスＧｈが広い範囲で燃焼されるようになり、水素ガスＧｈの燃焼速度が速くなるのが抑制されて、局所的に温度が上昇するのが抑制されると共に、最高火炎温度が高くなるのも抑制されて、ＮＯｘの発生が抑制されるようになる。
【００３５】
なお、各保炎部材３０、３０Ａ、３０Ｂにおける案内部３３の厚みＬａは特に限定されないが、保炎部材３０、３０Ａ、３０Ｂにおける案内部３３の厚みＬａが小さくなると、保炎部材３０、３０Ａ、３０Ｂの案内部３３を通過する空気Ａｉの整流性が悪くなり、保炎部材３０、３０Ａ、３０Ｂを通過した空気Ａｉが水素ガス供給管１０の先端部における噴出口１１から前方に広がりながら噴出された水素ガスＧｈと早い時期に接触して水素ガスＧｈが燃焼されるようになり、ＮＯｘが発生しやすくなる。一方、保炎部材３０、３０Ａ、３０Ｂにおける案内部３３の厚みＬａを大きくするほど、保炎部材３０、３０Ａ、３０Ｂの外周面と空気供給管２０の内周面との間の案内通路Ｓを通して流れる空気Ａｉの整流性が高められるが、水素ガス供給管１０の先端部に導かれる空気Ａｉの量が低下するおそれがある。このため、保炎部材３０、３０Ａ、３０Ｂにおける案内部３３の厚みＬａは、保炎部材３０、３０Ａ、３０Ｂの外周面と空気供給管２０の内周面との間の案内通路Ｓの間隔Ｓａや、空気供給管２０内を流れる空気Ａｉの量に対応させて適宜決定することが好ましい。
【符号の説明】
【００３６】
１      ：炉壁
１０    ：水素ガス供給管
１１    ：噴出口
２０    ：空気供給管
２１    ：燃焼管部
３０    ：保炎部材
３０Ａ  ：保炎部材
３０Ｂ  ：保炎部材
３１    ：前面板部
３２    ：凹部
３３    ：案内部
３３ａ  ：傾斜案内部
Ａｉ    ：空気
Ｄ20    ：空気供給管の内径
Ｄ30    ：保炎部材の案内部の外径
Ｇｈ    ：水素ガス
Ｌａ    ：保炎部材の案内部の厚み
Ｓ      ：案内通路
Ｓａ    ：案内通路の間隔
θ      ：傾斜案内部における水平方向に対する傾斜角
【図１】
2020046099.tif 000003
【図２】
2020046099.tif 000004
【図３】
2020046099.tif 000005
【図４】
2020046099.tif 000006